(57)【要約】【課題】汚染された表土を、汚染物が周囲に飛散するのを抑制しつつ剥ぎ取って搬送することを可能にして、汚染された表土を効率良く除去できる表土剥ぎ取り機を提供する。【解決手段】ベースマシン１１のブーム部１４に取り付けられた剥ぎ取り回収装置１５は、下端面に開口面１６ａを備える中空函体部１６と、中空函体部１６の内部に取り付けられた、外周部に剥ぎ取り刃１８を有する回転軸体部１７と、剥ぎ取り刃１８の回転によって剥ぎ取られた表土を取り込んで中空函体部１６の外部に搬送する、中空函体部１６から延設する環状のパイプコンベア１９からなる表土回収搬送部２０とを含んで構成される。中空函体部１６は、ブーム部１４に対して左右への首振り操作が可能なように、首振り機構２１を介してブーム部１４に連結している。回転軸体部１７は、剥ぎ取り刃１８の先端の回転軌跡Ｓを、中空函体部１６の開口面１６ａよりも下方に突出させている。【選択図】図１
2014001551.tif 000002
【特許請求の範囲】
【請求項１】
汚染された表土を所定の厚さで剥ぎ取るための表土剥ぎ取り機であって、
走行部と、該走行部に対して旋回可能に設けられた基台部と、該基台部から延設して設けられた、上下及び前後の屈伸操作が可能なブーム部とを備えるベースマシンと、前記ブーム部の先端部分に取り付けられた剥ぎ取り回収装置とを含んで構成されており、
前記剥ぎ取り回収装置は、下端面に開口面を備える中空函体部と、該中空函体部の内部に回転可能に取り付けられた、外周部に剥ぎ取り刃を有する回転軸体部と、該回転軸体部の剥ぎ取り刃によって剥ぎ取られた表土を取り込んで前記中空函体部の外部に搬送する、前記中空函体部から延設して設けられたパイプコンベアからなる表土回収搬送部とを含んで構成されており、
前記中空函体部は、前記ブーム部に対して左右への首振り操作が可能なように前記ブーム部の先端部分に連結しており、
前記回転軸体部は、前記剥ぎ取り刃の先端の回転軌跡を前記中空函体部の開口面よりも下方に突出させると共に、回転軸を前記ブーム部の前後方向に沿わせて配置して、前記中空函体部の内部に取り付けられており、
前記表土回収搬送部は、前記中空函体部の内部における、前記回転軸を挟んだ前記回転軸体部の下端部分の回転方向後方側の領域において、前記パイプコンベアのパイプ部の上部を取り込み開口部として開口させており、前記回転軸体部を回転させると共に、前記中空函体部を左右方向へ移動させることにより、前記剥ぎ取り刃によって剥ぎ取られた後に、前記剥ぎ取り刃の回転によって前記回転方向後方側の領域に投げ飛ばされた表土を、前記取り込み開口部を介して前記パイプコンベアの内部に取り込んで回収し、回収した表土を、前記パイプコンベアによって前記中空函体部の外部に搬送する表土剥ぎ取り機。
【請求項２】
前記中空函体部の外周部分に、当該中空函体部と表土との間の離間距離を計測する距離計測器が取り付けられている請求項１項記載の表土剥ぎ取り機。
【請求項３】
前記中空函体部の下端周縁部から下方に延設して、当該下端周縁部と表土との間の隙間部分に配置される可撓性袴部材が取り付けられている請求項１又は２記載の表土剥ぎ取り機。
【請求項４】
前記中空函体部の内部における、前記回転方向後方側の領域には、前記剥ぎ取り刃の回転によって投げ飛ばされた表土を受けて前記前記取り込み開口部に案内する、ガイド板が設けられている請求項１〜３のいずれか１項記載の表土剥ぎ取り機。
【請求項５】
前記パイプコンベアの排出口と連通する補助搬送部と、該補助搬送部によって搬送された表土を袋詰めするための回収袋が着脱可能に装着される袋装着部とが、前記ベースマシンの基台部に一体として取り付けられている請求項１〜４のいずれか１項記載の表土剥ぎ取り機。
【発明の詳細な説明】
【技術分野】
【０００１】
本発明は、表土剥ぎ取り機に関し、特に汚染された表土を所定の厚さで剥ぎ取るための表土剥ぎ取り機に関する。
【背景技術】
【０００２】
東日本大震災による原子力発電所の事故を受けて、放射能で汚染された表土を所定の深さで剥ぎ取って、効率良く除去できるようにする技術の開発が望まれている。表土を所定の深さで剥ぎ取る方法として、一般に、バックフォーのバケットや、ショベルカーのショベルや、ブルドーザーのハイド板等を、表土に僅かに食い込ませながら移動させることで、表土を薄く剥ぎ取る方法が考えられる。
【０００３】
一方、バックフォーや、ショベルカーや、ブルドーザーによって表土を剥ぎ取る方法では、剥ぎ取った表土をかき集めてから、ダンプカー等の搬送車両に積み込み直す必要があるため、剥ぎ取った表土を効率良く且つスピーディに搬出することは困難である。このようなことから、例えば切削部によって切削された表土を受け取って後方へ搬送する搬送手段を備えることで、切削された表土をそのまま後方へ搬送して搬出できるようにした表土切削装置も開発されている（例えば、特許文献１参照）。
【先行技術文献】
【特許文献】
【０００４】
【特許文献１】特開２０００−１２９７１７号公報
【発明の概要】
【発明が解決しようとする課題】
【０００５】
しかしながら、上記従来のバックフォーや、ショベルカーや、ブルドーザーによって表土を剥ぎ取る方法や、搬送手段を備える表土切削装置では、剥ぎ取られる表土の表面が開放された状態のまま、表土の剥ぎ取りや搬送が行われるため、表土が放射能等によって汚染されたものであると、汚染物を周囲に飛散させ易くなって、作業環境に多大な影響を及ぼすことになる。
【０００６】
本発明は、汚染された表土を、汚染物が周囲に飛散するのを効果的に抑制しつつ剥ぎ取って搬送することを可能にして、作業環境に及ぼす影響を効果的に低減することができると共に、汚染された表土を効率良く除去することのできる表土剥ぎ取り機を提供することを目的とする。
【課題を解決するための手段】
【０００７】
本発明は、汚染された表土を所定の厚さで剥ぎ取るための表土剥ぎ取り機であって、走行部と、該走行部に対して旋回可能に設けられた基台部と、該基台部から延設して設けられた、上下及び前後の屈伸操作が可能なブーム部とを備えるベースマシンと、前記ブーム部の先端部分に取り付けられた剥ぎ取り回収装置とを含んで構成されており、前記剥ぎ取り回収装置は、下端面に開口面を備える中空函体部と、該中空函体部の内部に回転可能に取り付けられた、外周部に剥ぎ取り刃を有する回転軸体部と、該回転軸体部の剥ぎ取り刃によって剥ぎ取られた表土を取り込んで前記中空函体部の外部に搬送する、前記中空函体部から延設して設けられたパイプコンベアからなる表土回収搬送部とを含んで構成されており、前記中空函体部は、前記ブーム部に対して左右への首振り操作が可能なように前記ブーム部の先端部分に連結しており、前記回転軸体部は、前記剥ぎ取り刃の先端の回転軌跡を前記中空函体部の開口面よりも下方に突出させると共に、回転軸を前記ブーム部の前後方向に沿わせて配置して、前記中空函体部の内部に取り付けられており、前記表土回収搬送部は、前記中空函体部の内部における、前記回転軸を挟んだ前記回転軸体部の下端部分の回転方向後方側の領域において、前記パイプコンベアのパイプ部の上部を取り込み開口部として開口させており、前記回転軸体部を回転させると共に、前記中空函体部を左右方向へ移動させることにより、前記剥ぎ取り刃によって剥ぎ取られた後に、前記剥ぎ取り刃の回転によって前記回転方向後方側の領域に投げ飛ばされた表土を、前記取り込み開口部を介して前記パイプコンベアの内部に取り込んで回収し、回収した表土を、前記パイプコンベアによって前記中空函体部の外部に搬送する表土剥ぎ取り機を提供することにより、上記目的を達成したものである。
【０００８】
そして、本発明の表土剥ぎ取り機は、前記中空函体部の外周部分に、当該中空函体部と表土との間の離間距離を計測する距離計測器が取り付けられていることが好ましい。
【０００９】
また、本発明の表土剥ぎ取り機は、前記中空函体部の下端周縁部から下方に延設して、当該下端周縁部と表土との間の隙間部分に配置される可撓性袴部材が取り付けられていることが好ましい。
【００１０】
さらに、本発明の表土剥ぎ取り機は、前記中空函体部の内部における、前記回転方向後方側の領域には、前記剥ぎ取り刃の回転によって投げ飛ばされた表土を受けて前記前記取り込み開口部に案内する、ガイド板が設けられていることが好ましい。
【００１１】
さらにまた、本発明の表土剥ぎ取り機は、前記パイプコンベアの排出口と連通する補助搬送部と、該補助搬送部によって搬送された表土を袋詰めするための回収袋が着脱可能に装着される袋装着部とが、前記ベースマシンの基台部に一体として取り付けられていることが好ましい。
【発明の効果】
【００１２】
本発明の表土剥ぎ取り機によれば、汚染された表土を、汚染物が周囲に飛散するのを効果的に抑制しつつ剥ぎ取って搬送することを可能にして、作業環境に及ぼす影響を効果的に低減した状態で、効率良く表土を除去することができる。
【図面の簡単な説明】
【００１３】
【図１】本発明の好ましい一実施形態に係る表土剥ぎ取り機の構成を説明する、補助搬送部を断面で示す側面図である。
【図２】本発明の好ましい一実施形態に係る表土剥ぎ取り機の構成を説明する正面図である。
【図３】本発明の好ましい一実施形態に係る表土剥ぎ取り機の構成を説明する上面図である。
【図４】本発明の好ましい一実施形態に係る表土剥ぎ取り機の構成を説明する、中空函体部及び補助搬送部を断面で示す要部正面図である。
【図５】中空函体部の拡大断面図である。
【図６】パイプコンベアの内部構造を説明する、（ａ）は拡大横断面図、（ｂ）は拡大縦断面図である。
【発明を実施するための形態】
【００１４】
図１〜図３に示す本発明の好ましい一実施形態に係る表土剥ぎ取り機１０は、汚染された表土５０として、例えば放射能によって汚染された表土を、例えば３０〜１００ｍｍ程度の所定の薄い厚さで剥ぎ取って、効率良く除去するための重機として用いられるものである。また、本実施形態の表土剥ぎ取り機１０は、略閉塞された空間において表土を剥ぎ取り、且つ略閉塞された空間を介して、剥ぎ取った表土を搬送して搬出するようになっていることで、作業環境に及ぼす影響を効果的に低減できるようにする機能を備えている。
【００１５】
そして、本実施形態の表土剥ぎ取り機１０は、汚染された表土を所定の厚さで剥ぎ取るための剥ぎ取り機であって、図１〜図３に示すように、走行部１２と、走行部１２に対して旋回可能に設けられた基台部１３と、基台部１３から延設して設けられた、上下及び前後への屈伸操作が可能なブーム部１４とを備えるベースマシン１１と、ブーム部１４の先端部分に取り付けられた剥ぎ取り回収装置１５とを含んで構成されている。
【００１６】
剥ぎ取り回収装置１５は、図４にも示すように、下端面に開口面１６ａを備える中空函体部１６と、中空函体部１６の内部に回転可能に取り付けられた、外周部に剥ぎ取り刃１８を有する回転軸体部１７と、回転軸体部１７の剥ぎ取り刃１８によって剥ぎ取られた表土を取り込んで中空函体部１６の外部に搬送する、中空函体部１６から延設して設けられたパイプコンベア１９からなる表土回収搬送部２０とを含んで構成されている。
【００１７】
中空函体部１６は、ブーム部１４に対して左右への首振り操作が可能なように、首振り機構２１を介してブーム部１４の先端部分に連結しており、回転軸体部１７は、剥ぎ取り刃１８の先端の回転軌跡Ｓを中空函体部１６の開口面１６ａよりも下方に突出させると共に、回転軸１７ａをブーム部１４の前後方向Ｘに沿わせて配置して、中空函体部１６の内部に取り付けられている。
【００１８】
表土回収搬送部２０は、図４及び図５に示すように、中空函体部１６の内部における、回転軸１７ａを挟んだ回転軸体部１７の下端部分の回転方向Ｒの後方側の領域において、パイプコンベア１９のパイプ部２２の上部を取り込み開口部２３として開口させており、回転軸体部１７を回転させると共に、中空函体部１６を左右方向Ｙへ移動させることにより、剥ぎ取り刃１８によって剥ぎ取られた後に、剥ぎ取り刃１８の回転によって回転方向Ｒの後方側の領域に投げ飛ばされた表土を、取り込み開口部２３を介してパイプコンベア１９の内部に取り込んで回収し、回収した表土を、パイプコンベア１９によって中空函体部１６の外部に搬送するようになっている。
【００１９】
ここで、回転軸体部１７の下端部分の回転方向Ｒは、先端の回転軌跡Ｓが中空函体部１６の開口面１６ａよりも下方に突出する、回転軸体部１７の下端部分に回転移動した剥ぎ取り刃１８の回転方向であり、中空函体部１６を左右方向Ｙへ移動させながら剥ぎ取り刃１８によって表土を剥ぎ取って行く方向と同じ方向である。また回転軸体部１７の下端部分の回転方向Ｒの後方側の領域と、回転軸体部１７の上端部分の回転方向の前方側の領域とは、回転軸体部１７の回転軸１７ａを挟んだ同じ側の領域となっている。
【００２０】
また、本実施形態では、パイプコンベア１９の排出部２４と連通する補助搬送部２５と、補助搬送部２５によって搬送された表土を袋詰めする回収袋２６が着脱可能に装着される袋装着部２７とが、ベースマシン１１の基台部１３に一体として取り付けられている。
【００２１】
本実施形態では、表土剥ぎ取り機１０を構成するベースマシン１１は、例えばキャタピラ形式の走行部１２と、ターンテーブルを介して走行部１２に対して回動可能に設けられた、運転操作室１３ａを備える基台部１３と、基台部１３から延設して設けられた、複数の油圧シリンダーを介して上下及び前後への屈伸操作が可能なブーム部１４とを備える、バックフォーに用いるベースマシンと略同様の公知の構造を備えている。すなわち、本実施形態の表土剥ぎ取り機１０は、バックフォーのブーム部１４の先端部分に取り付けられたバケットに代えて、剥ぎ取り回収装置１５が取り付けられていると共に、表土の剥ぎ取り操作が行い易くなるように適宜改良を加えた構造を備えている。
【００２２】
また、本実施形態では、ベースマシン１１の先端部分に取り付けられた剥ぎ取り回収装置１５は、中空函体部１６が、首振り機構２１を介してブーム部１４の先端部分に連結していることで、ブーム部１４に対して左右への首振り操作が可能となっている。すなわち、首振り機構２１は、図４に示すように、中空函体部１６の上面部に一体として固定されたピン支承部２１ａと、ピン支承部２１ａの上方に一体として固定された角柱部２１ｂと、角柱部２１ｂの上方に一体として固定されたブーム接合部２１ｃと、ブーム接合部２１ｃから側方に張り出して取り付けられた上部支持片２１ｄ及びピン支承部２１ａの下面プレート２１ｅから側方に張り出して取り付けられた下部支持片２１ｆに、両端部が回転可能に支持されて設けられた首振り油圧ジャッキ２１ｇとからなる。
【００２３】
首振り機構２１は、ブーム接合部２１ｃがブーム部１４の先端部分に接合されることで、当該首振り機構２１を介して、中空函体部１６をブーム部１４の先端部分に首振り可能に連結すると共に、好ましくはベースマシン１１の運転操作室１３ａからの操作によって、首振り油圧ジャッキ２１ｇを伸縮作動させることで、ピン支承部２１ａを中心として中空函体部１６を角柱部２１ｂに対して左右に回動させることにより、首振り操作をすることができるようになっている。
【００２４】
中空函体部１６が、ブーム部１４に対して左右に首振り操作可能となっていることにより、回転軸体部１７を回転させると共に中空函体部１６を左右方向Ｙへ移動させることで表土５０を剥ぎ取って行く際に、剥ぎ取られる表土５０の表面が中空函体部１６の移動方向に傾斜している場合でも、下端の開口面１６ａが傾斜した表土５０の表面に対応して配置されるように、中空函体部１６の左右方向の傾きを容易に調整することが可能になる。これによって、表土５０の表面に傾斜がある場合でも、略同じ深さで表土を剥ぎ取って行くことが可能になる。
【００２５】
中空函体部１６は、本実施形態では、鋼製の箱状の部分であって、下端面の全域が開口面となっている、前後の幅が９００〜１０００ｍｍ、左右の幅が１２００〜１５００ｍｍ、高さが７００〜９００ｍｍ程度の大きさの、中空の六面体形状を備えている。中空函体部１６は、これの周囲が、鋼製の支持枠部材１６ｂによって補強されている。中空函体部１６の内部には、当該中空函体部１６と共に剥ぎ取り回収装置１５を構成する回転軸体部１７が、回転可能に取り付けられている。また表土回収搬送部２０のパイプコンベア１９が、中空函体部１６の下端部分を貫通すると共に、中空函体部１６からこれの外部に環状に延設して設けられている。
【００２６】
回転軸体部１７は、本実施形態では、両端が閉塞した鋼製の略円筒形状の部材であって、これの中心軸部分を貫通して、回転軸１７ａが一体として取り付けられている。回転軸体部１７は、回転軸１７ａをブーム部１４の前後方向Ｘに沿わせると共に（図１、図３参照）、回転軸１７ａの両端部を、中空函体部１６の前後方向Ｘに対向する一対の側面板に回転可能に支持させることで、中空函体部１６の中空内部に架設される。また、回転軸体部１７の一方の端部には、円盤形状の回動歯車部１７ｂが設けられている（図４、図５参照）。この回動歯車部１７ｂを、中空函体部１６の支持枠部材１６ｂに設置した回転駆動モータ２８と駆動用チェーン２８ａを介して接続することにより、回転駆動モータ２８の駆動力によって、回転軸体部１７を回転駆動させることができるようになっている。
【００２７】
さらに、回転軸体部１７の外周部には、複数の剥ぎ取り刃１８が取り付けられている。剥ぎ取り刃１８は、回転軸体部１７の外周面に、周方向に間隔をおいて長さ方向全長に亘って溶接固定された複数の刃固定ベース２９を介して、回転軸体部１７に着脱交換可能に固定されている。すなわち、剥ぎ取り刃１８は、例えば１００〜２００ｍｍ程度の刃幅を有しており、例えば刃固定ベース２９の長手方向に所定の間隔をおいて複数形成された固定ボルト孔２９ａから選択された、例えば一対の固定ボルト孔２９ａに、各々の剥ぎ取り刃１８に形成された一対の締着ボルト孔１８ａを合致させて、固定ネジ３０を用いてこれらを一体接合することによって、剥ぎ取り刃１８を、回転軸体部１７に着脱交換可能に固定できるようになっている（図５参照）。また、複数の剥ぎ取り刃１８は、これらの先端の回転軌跡Ｓが、中空函体部１６の開口面１６ａよりも例えば１２０〜１５０ｍｍ程度下方に突出するように配置されると共に、回転軸体部１７の回転に伴って表土５０を剥ぎ取り易い角度に調整された状態で、且つ表土５０を剥ぎ取って行く方向の後方側の領域に剥ぎ取った表土を投げ飛ばし易い角度に調整された状態で、回転軸体部１７に取り付けられる。
【００２８】
なお、複数の剥ぎ取り刃１８は、表土の剥ぎ取りを効率良く行うことができるように、周方向に隣接する一対の刃固定ベース２９に取り付けられる剥ぎ取り刃１８を、互い違いに千鳥状に配置した状態で固定することが好ましい。
【００２９】
中空函体部１６から延設して設けられたパイプコンベア１９は、本実施形態では、例えば特開２００８−２６４６２０公報に記載されるパイプコンベアと略同様の構成を備えるコンベア装置を用いることができる。すなわち、パイプコンベア１９は、図６（ａ）、（ｂ）にも示すように、中空円形の断面形状を備えるパイプ部２２と、パイプ部２２の内部に設けられた複数の搬送ブレード３１と、複数の搬送ブレード３１を間隔をおいて環状に連設するように連結すると共に、パイプ部２２の内部に無端状に配置されたチェーン部材３２と、チェーン部材３２を回転駆動させる駆動装置３３とを備えている。
【００３０】
パイプコンベア１９は、中空函体部１６の内部において回転方向Ｒの後方側の領域に開口する、パイプ部２２の上部を切り欠いて形成した取り込み開口部２３から、パイプ部２２の内側に取り込まれた剥ぎ取った表土を、搬送ブレード３１に乗せるようにして、環状に延設するパイプ部２２に沿って上方に搬送する。搬送された表土は、パイプコンベア１９の上部の排出部２４に設けられた、パイプ部２２の下部を切り欠いて開口形成した排出開口部（図示せず）や排出ホッパー２４ａを介して、補助搬送部２５のベルトコンベア３８の上に落下して送り出されることになる（図２、図４参照）。
【００３１】
また、本実施形態では、図４及び図５に示すように、中空函体部１６の内部における、回転軸体部１７の下端部分の回転方向Ｒの後方側の領域には、剥ぎ取り刃１８の回転によって投げ飛ばされた表土を受けて取り込み開口部２３に案内する、ガイド板３４が設けられていると共に、回転軸体部１７の回転方向Ｒの前方側の上方を４半円弧形状に覆うよう配置されて、飛散抑制プレート３５が、剥ぎ取り刃１８の先端の回転軌跡Ｓと間隔をおいて設けられている。
【００３２】
表土を取り込み開口部２３に案内するガイド板３４が設けられていることにより、剥ぎ取り刃１８の回転によって回転方向Ｒの後方側の領域に投げ飛ばされた表土を、取り込み開口部２３からパイプコンベア１９の内部に効率良く取り込むことが可能になる。また、回転軸体部１７の回転方向Ｒの前方側の上方を覆う飛散抑制プレート３５が設けられていることにより、剥ぎ取り刃１８によって剥ぎ取られた表土を、当該剥ぎ取り刃１８によって、回転方向Ｒの前方側の領域に飛散させることなく、効率良く後方側の領域に投げ飛ばすことが可能になる。
【００３３】
さらに、本実施形態では、中空函体部１６の外周部分に、図２に示すように、中空函体部１６と表土５０との間の離間距離を計測する距離計測器３６が取り付けられている。すなわち、本実施形態では、距離計測器３６は、例えば中空函体部１６の正面側の側面板の下端角部に回転可能にピン結合されたロッド状ストローク計からなり、これの先端の接地頭部３６ａを表土５０の表面に接地させた状態で、ロッド部３６ｂの傾きを計測部３６ｃで計測することにより、中空函体部１６と表土５０との間の離間距離を計測できるようになっている。
【００３４】
中空函体部１６の外周部分に、中空函体部１６と表土５０との間の離間距離を計測する距離計測器３６が取り付けられていることにより、運転操作室１３ａで操作するオペレーターを補佐して、中空函体部１６と表土５０との間の離間距離を一定に保持したまま、中空函体部１６を左右方向Ｙへ移動させて、剥ぎ取り刃１８によって表土５０を一定の深さで剥ぎ取って行く操作を、容易に行えるようにすることが可能になる。
【００３５】
さらにまた、本実施形態では、図４及び図５に示すように、中空函体部１６の下端周縁部から下方に延設して、当該下端周縁部と表土５０との間の隙間部分や、表土５０を剥ぎ取った後の地盤面との間の隙間部分に配置される、例えばゴム板やブラシ状部材からなる可撓性袴部材３７が取り付けられている。
【００３６】
中空函体部１６の下端周縁部から下方に延設して可撓性袴部材３７が取り付けられていることにより、中空函体部１６の内側で、剥ぎ取り刃１８によって剥ぎ取られたり、後方側の領域に投げ飛ばされる表土から、汚染物が中空函体部１６の外側に飛散するのを、さらに効果的に抑制することが可能になる。
【００３７】
本実施形態では、ベースマシン１１の基台部１３に一体として取り付けられる補助搬送部２５は、図１及び図４に示すように、ベルトコンベア３８と、ベルコンベア３８の全体を覆って配置されるカバー体３９とからなる。ベルトコンベア３８は、公知の種々のベルトコンベアを用いることができ、カバー体３９の内部に設置されて、ベースマシン１１の側部に沿って、中空函体部１６が配置された基台部１３の前方部分から、袋装着部２７が配置された基台部１３の後方部分に向けて、上り勾配となるように傾斜した状態で取り付けられる。
【００３８】
カバー体２５ａは、略矩形中空の断面形状を有する鋼製の外殻体であり、中空函体部１６が配置された基台部１３の前方部分から、袋装着部２７が配置された基台部１３の後方部分に向けて、上り勾配となるように傾斜した状態で相当の長さで延設されると共に、各種の支持部材を介して、ベースマシン１１の基台部１３の側面部に支持固定されている。カバー体３９は、内部にベルトコンベア３８を閉塞した状態で収納すると共に、中空函体部１６と隣接する部分に、上方に向けて開口する表土取り込み口３９ａが、袋装着部２７と隣接する部分に、下方に向けて開口する表土排出口３９ｂが、各々開口形成されている。
【００３９】
また、カバー体３９の中空函体部１６と隣接する部分に設けられた表土取り込み口３９ａは、可撓性を有する筒状の膜部材４０を介在させることで（図４）、パイプコンベア１９の上部の排出部２４に設けられた排出ホッパー２４ａと、閉塞された状態で連通している。これによって、排出ホッパー２４ａを介して、パイプコンベア１９によって搬送された表土を補助搬送部２５のベルトコンベア３８の上に落下させて送り出す際に、表土から汚染物が外部に飛散するのを、さらに効果的に抑制することが可能になる。
【００４０】
本実施形態では、ベースマシン１１の基台部１３の後方部分に一体として取り付けられる袋装着部２７は、図１及び図３に示すように、Ｈ形鋼や山形鋼等の鋼材を用いて、基台部１３から後方及び側方に張り出すようにして設けられた支持架台２７ａと、鉄筋棒等を用いて、補助搬送部２５のカバー体３９の表土排出口３９ｂの直下部分に、支持架台２７ａから立設して枠状に形成された、縦横１０００ｍｍ、高さ１０００ｍｍ程度の大きさの六面体状に組み付けられた装着枠２７ｂとからなる。装着枠２７ｂには、好ましくは当該装着枠２７ｂにぴったりと収まる大きさを有する、例えばポリプロピレン製の袋からなる、補助搬送部２５によって搬送された表土を袋詰めするための回収袋２６（好ましくは商品名「フレコンパック」（ライト精機株式会社製））が、着脱交換可能に装着される。
【００４１】
袋装着部２７の装着枠２７ｂに装着された回収袋２６には、補助搬送部２５のベルトコンベア３８によって搬送されてきた剥ぎ取られた表土が、ベルトコンベア３８の先端からカバー体３９の表土排出口３９ｂを介して落下することによって、袋詰めされる。また、カバー体３９の表土排出口３９ｂを、可撓性を有する筒状の膜部材（図示せず）を介在させることで、閉塞した状態で回収袋２６の上端開口と連通させることによって、搬送された表土を回収袋２６に袋詰めする際に、汚染物が外部に飛散するのを、さらに効果的に抑制することが可能になる。回収袋２６に表土が一杯になるまで袋詰めされら、上端開口を閉塞して装着枠２７ｂから取り出すと共に、別の回収袋２６を装着枠２７ｂに装着して、引き続いて表土５０を剥ぎ取って回収する作業を行うことができる。
【００４２】
そして、上述の構成を有する本実施形態の表土剥ぎ取り機１０によれば、汚染された表土５０を、汚染物が周囲に飛散するのを効果的に抑制しつつ剥ぎ取って搬送することを可能にして、作業環境に及ぼす影響を効果的に低減した状態で、効率良く表土を除去することが可能になる
【００４３】
すなわち、本実施形態によれば、表土剥ぎ取り機１０は、ベースマシン１１のブーム部１４の先端部分に取り付けられた剥ぎ取り回収装置１５が、下端面に開口面１６ａを備える中空函体部１６と、中空函体部１６の内部に回転可能に取り付けられた剥ぎ取り刃１８を有する回転軸体部１７と、剥ぎ取り刃１８によって剥ぎ取られた表土を取り込んで中空函体部１６の外部に搬送する、中空函体部１６から延設して設けられたパイプコンベア１９からなる表土回収搬送部２０とを含んで構成されており、中空函体部１６は、ブーム部１４に対して左右への首振り操作が可能なようにブーム部１４の先端部分に連結しており、回転軸体部１７は、剥ぎ取り刃１８の先端の回転軌跡Ｓを中空函体部１６の開口面１６ａよりも下方に突出させて、中空函体部１６の内部に取り付けられており、中空函体部１６を左右方向Ｙへ移動させることにより、剥ぎ取り刃１８によって剥ぎ取られた後に、回転方向Ｒの後方側の領域に投げ飛ばされた表土を、取り込み開口部２３を介してパイプコンベア１９の内部に取り込んで、中空函体部１６の外部に搬送するようになっているので、表土５０の剥ぎ取り及び搬送を、いずれも略閉塞された空間で行うことが可能になって、剥ぎ取った表土５０から汚染物が周囲に飛散するのを、効果的に抑制することが可能になる。
【００４４】
また、例えばベースマシン１１の運転操作室１３ａからの操作によって、ブーム部１４を屈伸操作したり、中空函体部１６を首振り操作したり、基台部１３を旋回操作したりすることで、中空函体部１６を左右方向Ｙに往復移動させると共に、回転軸体部１７やパイプコンベア１９等を回転駆動させることによって、剥ぎ取った表土をかき集めたりすることなくスムーズに搬送させて、効率良く表土を除去することが可能になる。
【００４５】
なお、本発明は上記実施形態に限定されることなく種々の変更が可能である。例えば、中空函体部の外周部分に取り付けられた、中空函体部と表土との間の離間距離を計測する距離計測器は、中空函体部に回転可能にピン結合されたロッド状ストローク計である必要は必ずしもなく、非接触式の距離センサー等であっても良い。また、中空函体部を左右に首振り操作する機構や、補助搬送部は、上記実施形態のものに限定されることなく、その他の種々の機構のものを採用することができる。
【符号の説明】
【００４６】
１０  表土剥ぎ取り機
１１  ベースマシン
１２  走行部
１３  基台部
１４  ブーム部
１５  剥ぎ取り回収装置
１６  中空函体部
１６ａ  開口面
１７  回転軸体部
１７ａ  回転軸
１８  剥ぎ取り刃
１９  パイプコンベア
２０  表土回収搬送部
２１  首振り機構
２２  パイプ部
２３  取り込み開口部
２４  排出部
２５  補助搬送部
２６  回収袋
２７  袋装着部
３４  ガイド板
３８  ベルトコンベア
３９  カバー体
５０  表土
Ｓ    回転軌跡
Ｒ    回転軸体部の下端部分の回転方向
Ｘ    前後方向
Ｙ    左右方向
【図１】
2014001551.tif 000003
【図２】
2014001551.tif 000004
【図３】
2014001551.tif 000005
【図４】
2014001551.tif 000006
【図５】
2014001551.tif 000007
【図６】
2014001551.tif 000008